(57)【要約】【課題】低振動及び低騷音を実現し、高強度締結を可能にし、製造コストを節減するスキャナモーターを提供する。【解決手段】磁気ディスクまたは多面鏡１６０を搭載するためのローターケース１７０；ローターケース１７０を軸支する回転可能な回転軸１４０；回転軸１４０を回転可能に支持するための中空の円筒状ベアリング１３０；ベアリング１３０を支持するためにベアリング１３０の外周面に装着されたベアリングホルダー１２０；ローターケース１７０を回転させる電場を形成するためにベアリングホルダー１２０の外周面に装着されたステータ１２１；回転軸１４０の外周面に挿着されてローターケース１７０の上部に装着され、外周部は多面鏡１６０と結合されるハウジングシャフト１５０；ハウジングシャフト１５０の内部に形成され、熔接の際に発生する応力を吸収し、多面鏡１６０の平面度の変化を減らすことができるホール空間部；及びホール空間部の外縁部と多面鏡１６０を固定結合する結合部１８０を含む。【選択図】図１
2011013656.tif 000002
【特許請求の範囲】
【請求項１】
磁気ディスクまたは多面鏡を搭載するためのローターケース；
前記ローターケースを軸支する回転可能な回転軸；
前記回転軸を回転可能に支持するための中空の円筒状ベアリング；
前記ベアリングを支持するために前記ベアリングの外周面に装着されたベアリングホルダー；
前記ローターケースを回転させる電場を形成するために前記ベアリングホルダーの外周面に装着されたステータ；
前記回転軸の外周面に挿着されて前記ローターケースの上部に装着され、外周部は前記多面鏡と結合されるハウジングシャフト；
前記ハウジングシャフトの内部に形成され、熔接の際に発生する応力を吸収し、前記多面鏡の平面度の変化を減らすことができるホール空間部；及び
前記ホール空間部の外縁部と前記多面鏡を固定結合する結合部；を含むことを特徴とするスキャナモーター。
【請求項２】
前記結合部が、レーザー溶接機で熔接して形成されたことを特徴とする請求項１に記載のスキャナモーター。
【請求項３】
前記ホール空間部が、前記多面鏡の面の位置に対応して形成され、前記多面鏡の面数と同数で形成されたことを特徴とする請求項１に記載のスキャナモーター。
【請求項４】
前記ホール空間部が、前記多面鏡の面数の整数倍で形成されたことを特徴とする請求項１に記載のスキャナモーター。
【請求項５】
前記ホール空間部が、外径が内径より大きい扇形であることを特徴とする請求項１に記載のスキャナモーター。
【請求項６】
前記ホール空間部が、円形であることを特徴とする請求項１に記載のスキャナモーター。
【発明の詳細な説明】
【技術分野】
【０００１】
本発明は、スキャナモーターに係り、より詳しくはレーザービームプリンターやスキャナのような光学技術を利用した出力装置に使用されて、多面鏡を回転させるスキャナモーターに関する。
【背景技術】
【０００２】
光学技術を利用した出力装置がますます小型化、高速化していくにつれて、多面鏡などが核心部品である光学反射装置を駆動するためのアクチュエータに要求される性能は高くなっており、特に高速回転運動の際に振動及び騷音に対する対策の必要性が高まっている。
【０００３】
スキャナモーターは、レーザービームプリンターなどに設置され、光源から出てくる光ビームを偏向させて走査するように多面鏡を高速で回転させるための装置であって、高速で回転する多面鏡がスキャナモーターに固定結合されなければならない。このような従来のスキャナモーターが図４に概略的に示されている。
【０００４】
図４に示すように、従来技術によるスキャナモーター１０は、スキャナモーター１０の上部に設置される多面鏡１１、及び多面鏡１１をスキャナモーター１０に結合するためのスプリング１２で構成され、このような従来技術は特許文献１にも記載されている。
【０００５】
スキャナモーター１０は、ベアリングホルダー（図示せず）の外周面に設置されて、外部電源が印加されるステータ（図示せず）とローターケース１４の内周面に設置されるローターマグネット１５との間で生じる力でハウジングシャフト１３を回転させる。
【０００６】
ハウジングシャフト１３は、多面鏡１１を搭載するためのものであり、ハウジングシャフト１３の下部にはローターケース１４が装着される。
【０００７】
ハウジングシャフト１３は、全体的に円盤状のもので、その上に多面鏡１１が搭載され、中央部位に回転軸１６が固定挿設される。ハウジングシャフト１３の上部にはスプリング１２が押し付けられて多面鏡１１の上部を固定させる。
【０００８】
ローターケース１４は、ハウジングシャフト１３の下側面にコーキング工程によって固定結合され、その内周壁には、ステータ（図示せず）と向かい合うように、ローターマグネット１５が設置される。
【０００９】
多面鏡１１は、スキャナモーター１０のハウジングシャフト１３に固定設置されて回転され、レーザービームプリンターなどの装置においてレーザービームを反射させる。ここで、多面鏡１１は、ハウジングシャフト１３に設置されるスプリング１２によって上面の少なくとも一部が圧迫されてハウジングシャフト１３に固定される。
【００１０】
スプリング１２は、多面鏡１１の上面を圧迫してハウジングシャフト１３に固定的に結合する。
【００１１】
しかしながら、前述したような構成を持つスキャナモーター１０は、回転軸１６と多面鏡１１の水平状態を確保するために、多面鏡１１の支持部であるハウジングシャフト１３を機械加工して使用しており、スプリング１２と多面鏡１１の間の締結力が低いため、外部から印加される強い衝撃によってスプリング１２及び多面鏡１１が離脱することがあるという問題点があった。
【００１２】
また、前述したような構成を持つスキャナモーター１０は、回転軸１６と多面鏡１１の水平状態を確保するために、多面鏡１１の支持部であるハウジングシャフト１３を機械加工して使用しており、スプリング１２と多面鏡１１の間の締結力が低いため、外部から印加される強い衝撃によってスプリング１２及び多面鏡１１が離脱することがあるという問題点があった。
【００１３】
したがって、高速回転の際、多面鏡１１の遊動及び構成部品の干渉を最小化し、回転不均衡を防止して振動と騷音を減らすとともに、製造コストを節減することができるスキャナモーターに対する研究が至急の実情であった。
【先行技術文献】
【特許文献】
【００１４】
【特許文献１】大韓民国特許公開第２００３−８４１４８号明細書
【発明の概要】
【発明が解決しようとする課題】
【００１５】
本発明は、前述したような従来技術の問題点を解決するためになされたもので、本発明の目的は、低振動及び低騷音を実現することができ、高強度締結が可能であり、製造コストを節減することができるスキャナモーターを提供することである。
【課題を解決するための手段】
【００１６】
前述した本発明の目的を達成するために、本発明は、磁気ディスクまたは多面鏡を搭載するためのローターケース；前記ローターケースを軸支する回転可能な回転軸；前記回転軸を回転可能に支持するための中空の円筒状ベアリング；前記ベアリングを支持するために前記ベアリングの外周面に装着されたベアリングホルダー；前記ローターケースを回転させる電場を形成するために前記ベアリングホルダーの外周面に装着されたステータ；前記回転軸の外周面に挿着されて前記ローターケースの上部に装着され、外周部は前記多面鏡と結合されるハウジングシャフト；前記ハウジングシャフトの内部に形成され、熔接の際に発生する応力を吸収し、前記多面鏡の平面度の変化を減らすことができるホール空間部；及び前記ホール空間部の外縁部と前記多面鏡を固定結合する結合部；を含むことを特徴とするスキャナモーターを提供する。
【００１７】
前記結合部は、レーザー溶接機で熔接して形成されることが好ましい。
【００１８】
前記ホール空間部は、前記多面鏡の面の位置に対応して形成され、前記多面鏡の面数と同数で形成されていることが好ましく、また、前記ホール空間部は、前記多面鏡の面数の整数倍で形成されることが好ましい。
【００１９】
前記ホール空間部は、外径が内径より大きい扇形であることが好ましく、また、前記ホール空間部は、円形であってもよい。
【００２０】
本発明の特徴及び利点は添付図面に基づいた以降の詳細な説明からより明らかになるであろう。
【００２１】
本発明の詳細な説明に先立ち、本明細書及び請求範囲に使用された用語や単語は通常的で辞書的な意味に解釈されてはいけなく、発明者がその自分の発明を最善の方法で説明するために用語の概念を適切に定義することができるという原則にしたがって本発明の技術的思想にかなう意味と概念に解釈されなければならない。
【発明の効果】
【００２２】
本発明によれば、スキャナモーターのハウジングシャフトが、多面鏡の面数と同数または整数倍のホール空間部を形成し、ホール空間部の外縁部と多面鏡を熔接することで、熔接の際に発生する応力をホール空間部が吸収してハウジングシャフト及びローターケースの変形を防止し多面鏡の平面度の変化を減らすことができる。
【００２３】
また、本発明によれば、スプリングのような固定部材が別に必要でないので、部品数が減少して製造コストが節減され、高速回転の際に回転不均衡または部品干渉による騷音が発生しなくて低振動及び低騷音を実現するスキャナモーターを提供することができる。
【００２４】
更に、本発明によれば、ハウジングシャフトのホール空間部が熔接の際に発生する応力を吸収するので、レーザー熔接のような高強度締結のための熔接が可能である。
【図面の簡単な説明】
【００２５】
【図１】本発明によるスキャナモーターを示す断面図である。
【図２】本発明の第１実施例によるハウジングシャフトの拡大図である。
【図３】本発明の第２実施例によるハウジングシャフトの拡大図である。
【図４】従来技術によるスキャナモーターの部分断面図である。
【発明を実施するための形態】
【００２６】
本発明の目的、利点及び特徴は添付図面を参照する以下の詳細な説明及び好適な実施例からもっと明らかになろう。本明細書において、各図面の構成要素に参照番号を付け加えるに際して、同じ構成要素には、たとえ異なる図面に表示されていても、できるだけ同一符号を付けることにする。また、本発明の説明において、関連の公知技術についての具体的な説明が本発明の要旨を不必要にあいまいにすることができると判断される場合は、その詳細な説明を省略する。
【００２７】
以下、添付図面を参照して本発明の好適な実施例によるスキャナモーターについて詳細に説明する。
【００２８】
図１は本発明の好適な第１実施例によるスキャナモーターの断面図、図２は図１に示すスキャナモーターに使用される多面鏡１６０とハウジングシャフト１５０の平面図である。
【００２９】
以下、これらの図面を参照して本実施例によるスキャナモーター１００について説明する。
【００３０】
図１及び図２に示すように、本実施例によるスキャナモーター１００は、固定部、及び固定部によって回転可能に支持される回転部を含むものである。なお、固定部は、ベースプレート１１０、ベアリングホルダー１２０、ベアリング１３０、及びステータ１２１を持つものである。
【００３１】
ベースプレート１１０は、スキャナモーター１００を全体的に支持するためのもので、上面に、ステータ１２１を電気的に制御するための回路基板（図示せず）が設置され、中央部位に、ベースプレート１１０の上面及び下面から挟支するようにベアリングホルダー１２０が固定結合される。
【００３２】
ベアリングホルダー１２０は、その内部に収容されるベアリング１３０を固定支持するためのもので、全体的に中空円筒状に形成されてベースプレート１１０に固定結合され、外周面にはステータ１２１が取り付けられる。
【００３３】
ステータ１２１は、外部電源を印加されて電場を形成するためのもので、コア及びコアに巻線されるコイルからなるものである。
【００３４】
コアは、ベアリングホルダー１２０の外周面に固定設置され、スキャナモーター１００の薄型化のために、ベースプレート１１０に近接して設置されることが好ましい。
コイルは、外部電源で電場を形成することで、ローターケース１７０のローターマグネット１７１との間で形成される磁気力でローターケース１７０を回転させる。
【００３５】
ベアリング１３０は、その内径部に挿入される回転軸１４０を回転可能に支持するためのもので、中空円筒状に形成され、その外周面がベアリングホルダー１２０の内周面に密着して設置される。また、ベアリング１３０は、回転軸１４０との間に、円滑な回転のための潤滑剤を内包している。
【００３６】
一方、回転部は、回転軸１４０、ハウジングシャフト１５０、多面鏡１６０及びローターケース１７０を含んでなるものである。
【００３７】
回転軸１４０は、回転部全体を軸支するためのもので、ベアリング１３０の内径部に挿入され、ベアリング１３０によって回転可能に支持される。
【００３８】
ハウジングシャフト１５０は、多面鏡１６０に結合部１８０で固定されて回転駆動されるもので、回転軸１４０の外径に挿入され、ローターケース１７０の上部に装着される。
【００３９】
図２に示すように、第１実施例によるハウジングシャフト１５０は、多面鏡１６０のようなアルミニウム材質で短時間に締結加工することができる。また、締結の後、内部応力の発生が少なく、高強度締結のためのレーザー熔接が可能である。
【００４０】
ハウジングシャフト１５０の内部には、中心軸を基準として、多面鏡１６０の面の位置に対応して形成され、多面鏡１６０の面数と同数または整数倍のホール空間部１５１が形成される。
【００４１】
ホール空間部１５１は、熔接時の応力をハウジングシャフト１５０の内部で吸収するようにして、多面鏡１６０の平面度の変化を減らすことができる。
【００４２】
ホール空間部１５１は、形状の制限がないが、扇形または円形が好ましく、ハウジングシャフト１５０と多面鏡１６０が分離ないし離脱しないように結合された結合部１８０が形成される。
【００４３】
結合部１８０は、ホール空間部１５１の外縁部と多面鏡１６０の間をレーザー溶接機で熔接するかあるいは接着剤で結合することによって形成される。
【００４４】
結合部１８０は、ハウジングシャフト１５０と多面鏡１６０を結合させることで多面鏡１６０が離脱することを防止することにより、従来多面鏡１６０を固定させるのに要求されたスプリングのような固定部材が不要である。
【００４５】
したがって、固定部材による不均衡変形及び部品間の干渉による騷音が発生しないので、低振動及び低騷音のスキャナモーターを成すことに寄与するだけでなく、部品数の減少で製造コストを節減することができる。
【００４６】
多面鏡１６０は、光源（図示せず）から来る光ビームを偏向させて走査するためのもので、中心ホールがハウジングシャフト１５０の外周面に嵌合される。
【００４７】
ローターケース１７０は磁気ディスクまたは多面鏡を搭載するためのもので、回転軸１４０の外周面に中心の開口部が嵌合されて回転し、多面鏡１６０を支持する上部と、内部に環状のローターマグネット１７１が設置される側部とからなる。
【００４８】
尚、ローターケース１７０は、好ましくは磁性体からプレス加工で形成される。
【００４９】
ローターケース１７０の内部に装着されたローターマグネット１７１は、ステータ１２１と向かい合うように設けられ、ステータ１２１との間で発生する力でモーターを回転させる。
【００５０】
図３は、本発明の好適な第２実施例によるハウジングシャフト１５０ａの拡大図である。
【００５１】
本実施例は、円形のホール空間部１５１ａが形成されることを除き、第１実施例と同様であるので、重複説明は省略する。
【００５２】
ホール空間部１５１ａは、ハウジングシャフト１５０の内部に中心軸を基準として多面鏡１６０の面の位置に対応して形成され、多面鏡１６０の面数と同数または整数倍で形成される。
【００５３】
ホール空間部１５１ａは、熔接時の応力をハウジングシャフト１５０の内部で吸収するようにして、ローターケース１７０の変形を防止し、多面鏡１６０の平面度の変化を減らすことができる。
【００５４】
このように、本発明のスキャナモーター１００のハウジングシャフト１５０は、多面鏡１６０の面数と同数あるいは多面鏡１６０の面数の整数倍のホール空間部１５１が形成され、ホール空間部１５１の外縁部と多面鏡１６０が熔接されることにより、熔接時に発生する応力をホール空間部１５１が吸収してハウジングシャフト１５０及びローターケース１７０の変形を防止し、多面鏡１６０の平面度の変化を減らすことができる。  
【００５５】
次の表１は、図２及び図３に示すように、多面鏡１６０の面数と同数のホール空間部１５１が形成された本発明によるハウジングシャフト１５０と従来のハウジングシャフトをそれぞれ多面鏡１６０とレーザー熔接した後、多面鏡１６０の平面度の変化量を測定した実験データである。
【００５６】
【表１】
2011013656.tif 000003
【００５７】
表１に示すように、多面鏡１６０の面数と同数のホール空間部１５１が形成されたハウジングシャフト１５０を備える本発明のスキャナモーターは、従来のスキャナモーターに比べると、多面鏡１６０の平面度の変化量が平均値に比べておよそ４０％以上減少されたことを確認することができた。
【００５８】
以上、本発明を具体的な実施例に基づいて詳細に説明したが、これは本発明を具体的に説明するためのもので、本発明による放熱パッケージ基板及びその製造方法はこれに限定されなく、本発明の技術的思想内で当該分野の通常の知識を持った者によって多様な変形及び改良が可能であろう。本発明の単純な変形ないし変更はいずれも本発明の範疇内に属するもので、本発明の具体的な保護範囲は特許請求範囲によって明らかに決まるであろう。
【産業上の利用可能性】
【００５９】
本発明は、レーザービームプリンターやスキャナのような光学技術を利用した出力装置において、多面鏡を回転させるスキャナモーターに適用可能である。
【符号の説明】
【００６０】
１００    スキャナモーター
１１０    ベースプレート
１２０    ベアリングホルダー
１３０    ベアリング
１４０    回転軸
１５０    ハウジングシャフト
１６０    多面鏡
１７０    ローターケース
【図１】
2011013656.tif 000004
【図２】
2011013656.tif 000005
【図３】
2011013656.tif 000006
【図４】
2011013656.tif 000007